(57)【要約】【課題】仮設光源を簡易に搬入、設置及び撤去でき、照明の照度を工事の目的に沿って自在に調整できる仮設照明システムを提供する。【解決手段】仮設照明システム１は、複数のＬＥＤ光源５が設けられる光源支持板６を有するＬＥＤ光源部品２と、隣接するＬＥＤ光源部品２相互を電気的に結線する配線部品３と、ＬＥＤ光源部品２と配線部品３とを接続するコネクター４とを備え、ＬＥＤ光源部品２は、壁面１４又は天井面１５に設けられたＬＥＤ光源部品取付けレール１３から吊下げ部品１１に設けられた吊下げ用リング１２により移動自在に吊り下げられ、ＬＥＤ光源部品２の取付け位置は、配線部品３の長さ、及び撓み量を調整することで自在に設定される。【選択図】図１
2014035967.tif 000002
【特許請求の範囲】
【請求項１】
仮設の通路照明に用いられる仮設照明システムにおいて、
複数のＬＥＤ光源が設けられる光源支持板を有するＬＥＤ光源部品と、
隣接するＬＥＤ光源部品相互を電気的に結線する配線部品と、
ＬＥＤ光源部品と配線部品とを結線するコネクターと、を備え、
ＬＥＤ光源部品は、壁面又は天井面に対して移動自在に接続され、ＬＥＤ光源部品の取付け位置は、配線部品の長さを調整することで自在に設定されることを特徴とする仮設照明システム。
【請求項２】
請求項１に記載の仮設照明システムであって、配線部品は、電線が可撓性を有する樹脂により覆われ、ＬＥＤ光源部品の取付け位置は、隣接するＬＥＤ光源部品との間の配線部品の撓み量を調整することで自在に設定されることを特徴とする仮設照明システム。
【請求項３】
請求項１又は２に記載の仮設照明システムであって、ＬＥＤ光源部品は、表側にＬＥＤ光源が埋め込まれたアルミ製の放熱板からなる光源支持板と、光源支持板の裏側に配置されて電源を配線する樹脂製チューブと、光源支持板と樹脂製チューブとを一体的に固定する透明な熱収縮性樹脂と、両端部の電線配線と樹脂製チューブとを固定する透明な熱収縮性樹脂とから構成され、結束部品により結束されて壁面又は天井面に対して移動自在に接続されることを特徴とする仮設照明システム。
【請求項４】
請求項３に記載の仮設照明システムであって、ＬＥＤ光源部品は、結束部品を介して取り付けられた吊下げ用リングにより壁面又は天井面に設けられた取付けレール上を移動自在であることを特徴とする仮設照明システム。
【請求項５】
請求項３又は４に記載の仮設照明システムであって、光源支持板は、ＬＥＤ光源が所定の方向に照射するように、熱収縮性樹脂及び結束部品によりＬＥＤ発光面を所定の角度に固定されることを特徴とする仮設照明システム。
【請求項６】
請求項１乃至５のいずれか１項に記載の仮設照明システムであって、ＬＥＤ光源部品と配線部品とが接続されたシステムの全長は、一端のＬＥＤ光源と他端のＬＥＤ光源との輝度差が所定の割合以下になるように調整されることを特徴とする仮設照明システム。
【発明の詳細な説明】
【技術分野】
【０００１】
本発明は、工事現場における仮設照明システムに係り、例えば、トンネル工事においてトンネル内部の壁面又は天井面に沿った線状の仮設全体照明に用いられる仮設照明システムに関する。
【背景技術】
【０００２】
工事現場においては、工事現場に仮設の照明設備が設置され、本設の照明設備が設置されるまで使用されるのが一般的である。この仮設照明には、例えば、トンネル工事、上下水道工事、橋梁架設工事などの現場などのように、線状に長い空間において仮設の光源を所定の間隔に配置して工事現場全体に仮設照明を施す場合があり、以下これを通路照明と称する。
【０００３】
従来の工事現場では、直管型の蛍光灯を配線して仮設照明とするのが一般的であった。すなわち、工事現場の壁面又は天井面に直管型の蛍光灯などの照明設備を直接固定し、工事完了により撤去するものである。この仮設工事には、径が６０ｍｍφ、長さが１５００ｍｍ、重量２．３ｋｇ、消費電力４０Ｗ，電源電圧１００Ｖの仕様の直管型の蛍光灯が一般的である。例えばトンネル工事の場合、この蛍光灯は、一般的に略５ｍピッチで、略３．５ｍの高さの壁面に取り付けられ、この蛍光灯が取り付けられた直下の床面の照度は略２０ルックス程度である。
【０００４】
特許文献1には、建設中の複数階の建物の仮設照明用ケーブルを支持部材などを使用せずに敷設する仮設照明用ケーブルの敷設方法が開示されている。ここでは、仮設照明を必要とする階の上階にコンクリート床を形成する際に、そのコンクリート層に仮設照明用ケーブルを直接埋設し、その先端部分をコンクリート床の下方に延長して露出させる方法が記載されている。
【０００５】
特許文献２には、天井面の施工能率を向上させる仮設懸架物の吊持装置が開示されている。ここでは、建設中のコンクリート建造物の上階床スラブの下面側又はその付属物に細線を直接又は間接的に固着し、その細線を垂下させた先に仮設懸架物である照明器具を吊持させ、工事終了後に細線を切断することが記載されている。
【０００６】
特許文献３には、照明器具をデッキプレートの任意の位置に配設でき、デッキプレートの下側への仮受け部材の取り付けが不要になり、照明器具の設置作業性を向上させるデッキプレート用仮設照明システムが開示されている。ここでは、デッキプレートの下側面に磁石付き配線クリップと磁石付き照明器具とをその各磁石で取り付け、この配線クリップにはコードを取り付けて照明器具をその磁石でデッキプレートに取り付けることが記載されている。
【先行技術文献】
【特許文献】
【０００７】
【特許文献１】特開２００２−７０３１０号公報
【特許文献２】特開昭６０−１４１９６３号公報
【特許文献３】特開平０６−２０５１１号公報
【発明の概要】
【発明が解決しようとする課題】
【０００８】
従来の工事現場では、主として直管型の蛍光灯を配線して仮設照明としていた。このような直管型の蛍光灯を点灯させるには、電源のほかに、例えば、取付け電気機具、安定器、点灯管などが必要となる。これらの機器は、重量があり、また体積もあるため仮設照明機器の運搬、取付け、撤去に手間がかかり、さらに仮設照明を架設するのに手間がかかるという問題があった。また、蛍光灯は消費電力が大きく省エネルギーにならないという問題もあった。さらに、蛍光灯はガラス管を使用するため工事中に破損し易いという問題もあった。
【０００９】
また、従来の線状に長い空間における仮設の通路照明では、蛍光灯は壁面又は天井面に直接固定されるため、取付け後には、その取付け間隔を容易に変更することができないという問題があった。このため、工事の目的に沿った通路照明を提供できないという問題があった。また、工事の進捗に従って通路照明に要求される照度が変化する場合に容易に対応できないという問題があった。
【００１０】
本願の目的は、かかる課題を解決し、仮設光源を簡易に搬入、設置及び撤去でき、照明の照度を工事の目的に沿って自在に調整できる仮設照明システムを提供することである。
【課題を解決するための手段】
【００１１】
上記目的を達成するため、本発明に係る仮設照明システムは、仮設の通路照明に用いられる仮設照明システムにおいて、複数のＬＥＤ光源が設けられる光源支持板を有するＬＥＤ光源部品と、隣接するＬＥＤ光源部品相互を電気的に結線する配線部品と、ＬＥＤ光源部品と配線部品とを結線するコネクターと、を備え、ＬＥＤ光源部品は、壁面又は天井面に対して移動自在に接続され、ＬＥＤ光源部品の取付け位置は、配線部品の長さを調整することで自在に設定されることを特徴とする。
【００１２】
上記構成により、仮設照明システムは、ＬＥＤ光源部品と配線部品とがコネクターを介して結線される。つまり、本仮設照明システムは、ＬＥＤ光源部品と、それと隣接するＬＥＤ光源部品とを電気的に結線する配線部品とを分離することで、「現場においてＬＥＤ光源部品及び配線部品をコネクターを介して結線する」というシステムである。その結果、本仮設照明システムは、ＬＥＤ光源部品及び配線部品を分離して容易に現場に搬入し、ソケット式になっているコネクターにより簡易に組み合わせて設置することができる。同様に、ＬＥＤ光源部品及び配線部品を再度分離して容易に現場から撤去することができる。このように、仮設光源を簡易に搬入、設置及び撤去できるということは、仮設工事において手間を省き、コストを低減することに繋がることから極めて好ましい。
【００１３】
また、ＬＥＤ光源部品の取付け位置は、配線部品の長さを調整することで自在に設定される。つまり、異なる長さの配線部品を用いることで、工事の目的に合致した照明の照度が得られる光源の配置が実現できる。例えば、より高い照明照度が要求される工事が行われる地点では、より短い配線部品を用いることで、その配線部品の両端のＬＥＤ光源部品の間隔が狭くなり、床面においてより高い照明照度が得られる。一方、より低い照明照度で十分な工事が行われる地点では、より長い配線部品を用いることで、その配線部品の両端のＬＥＤ光源部品の間隔が広くなり、床面においてより低い照明照度により省エネルギーが達成できる。
【００１４】
また、ＬＥＤ光源部品が壁面又は天井面に対して移動自在に接続されるため、ＬＥＤ光源部品の接続位置をずらすことができる。このように、その地点の床面における照明照度を微調整することが可能となる。また、ＬＥＤ光源部品は設置後に微調整可能なため、施工誤差を考慮する必要がなく簡易に手早く設置でき、仮設工事に適した工法といえる。
【００１５】
さらに、従来の蛍光灯と比べてＬＥＤ光源を用いた仮設照明システムはコンパクトであり軽量であり取り扱いが容易である。従って、ＬＥＤ光源を用いた仮設照明システムは、仮設光源を簡易に設けることが可能となる。また、ＬＥＤ光源を採用することで消費電力が節減され、省エネルギーが達成される。さらに、蛍光灯は工事中に破損し易いガラス管を使用するが、ＬＥＤ光源を用いた仮設照明システムは、破損の恐れがない。
【００１６】
また、仮設照明システムは、配線部品が、電線が可撓性を有する樹脂により覆われ、ＬＥＤ光源部品の取付け位置が隣接するＬＥＤ光源部品との間の配線部品の撓み量を調整することで自在に設定されることが好ましい。これにより、隣接するＬＥＤ光源部品との間の配線部品の撓み量をより大きくすることで、その配線部品の両端のＬＥＤ光源部品の間隔が狭くなり、床面においてより高い照明照度が得られる。一方、隣接するＬＥＤ光源部品との間の配線部品の撓み量をより小さくすることで、その配線部品の両端のＬＥＤ光源部品の間隔が広くなり、床面においてより低い照明照度が得られる。このように、照明照度を光源が配置される位置により自在に調整できることができる。
【００１７】
また、仮設照明システムは、ＬＥＤ光源部品が、ＬＥＤ光源部品は、表側にＬＥＤ光源が埋め込まれたアルミ製の放熱板からなる光源支持板と、光源支持板の裏側に配置されて電源を配線する樹脂製チューブと、光源支持板と樹脂製チューブとを一体的に固定する透明な熱収縮性樹脂と、両端部の電線配線と樹脂製チューブとを固定する透明な熱収縮性樹脂とから構成され、結束部品により結束されて壁面又は天井面に対して移動自在に接続されることが好ましい。これにより、光源支持板と両端に接続された配線部品の電源を配線する樹脂製チューブとを一体化し、また、両端部の電線配線と樹脂製チューブとを固定し、透明な樹脂を用いることで、照明の妨げにならずコンパクトで機械的な衝撃に強いＬＥＤ光源部品とすることができる。
【００１８】
また、仮設照明システムは、ＬＥＤ光源部品が、結束部品を介して取り付けられた吊下げ用リングにより壁面又は天井面に設けられた取付けレール上を移動自在であることが好ましい。これにより、ＬＥＤ光源部品の接続位置を容易にずらすことができ、その地点の照明の照度を微調整することができる。また、隣接するＬＥＤ光源部品との間の配線部品の撓み量を容易に調整することができ、照明の照度を光源が配置される位置により自在に調整できることができる。
【００１９】
また、仮設照明システムは、光源支持板が、ＬＥＤ光源が所定の方向に照射するように、熱収縮性樹脂及び結束部品によりＬＥＤ発光面を所定の角度に固定されることが好ましい。これにより、照明の方向性を有するというＬＥＤ光源の特性を利用し、工事に適した照明の方向にＬＥＤ光源を固定することができる。
【００２０】
さらに、仮設照明システムは，ＬＥＤ光源部品と配線部品とが接続されたシステムの全長が一端のＬＥＤ光源と他端のＬＥＤ光源との輝度差が所定の割合以下になるように調整されることが好ましい。これにより、配線部分の線抵抗により末端での照明効果が低下するのを防止することができる。
【発明の効果】
【００２１】
以上のように、本発明に係る仮設照明システムによれば、仮設光源を簡易に搬入、設置及び撤去でき、照明の照度を工事の目的に沿って自在に調整できる仮設照明システムを提供することができる。
【図面の簡単な説明】
【００２２】
【図１】本発明に係る仮設照明システムの全体構成についての１つの実施形態の概略構成を示す正面図及びＡ−Ａ断面図である。
【図２】仮設照明システムを構成するＬＥＤ光源部品についての１つの実施例を示す正面図である。
【図３】図２のＬＥＤ光源部品の裏面を示す背面図である。
【図４】仮設照明システムを構成する配線部品についての１つの実施例を示す正面図である。
【図５】ＬＥＤ光源部品を取付けレールから吊り下げる構成についての１つの実施例を示す正面図である。
【図６】図５の実施例のＢ−Ｂ断面図である。
【図７】配線部品の長さ調整及び撓み量調整について示す説明図である。
【発明を実施するための形態】
【００２３】
（仮設照明システムの全体構成）
以下に、図面を用いて本発明に係る仮設照明システムの実施形態につき、詳細に説明する。仮設照明システム１は、例えば、トンネル工事、上下水道工事、橋梁架設工事などの現場など、線状に長い空間において仮設の光源を所定の間隔に配置して工事現場全体に仮設照明を施すシステムであり、仮設の通路照明である。本明細書では、１つの実施形態としてトンネル工事に用いられる仮設照明システム１について説明するが、本発明は、トンネル工事に限らず、例えば上下水道工事、橋梁架設工事などの他の工事においても適用される。
【００２４】
図１に、本発明に係る仮設照明システム１の全体構成についての１つの実施形態の概略構成を示す。図１（ａ）に、トンネル２０内部の正面図を示し、図１（ｂ）には、図１（ａ）のＡ−Ａ断面図を示す。仮設照明システム１は、トンネル２０内部の壁面１４又は天井面１５に線状に取り付けられ、複数のＬＥＤ光源部品２及び配線部品３がコネクター４により結線されて構成される通路照明である。すなわち、図１（ａ）に示す所定のピッチ（Ｐ）によりトンネル２０の壁面１４又は天井面１５に設けられたＬＥＤ光源部品２と配線部品３とが一組のユニットを構成し、複数のユニットが組み合わされて延長され、通路照明となる。一組の仮設照明システム１は、トンネル２０内の上部に架設された電線１６から安定器２２を介して受電し、配線部品３を介して各ＬＥＤ光源部品２に配電する。また、後述するように、ＬＥＤ光源部品２は、結束部品１０により結束され、吊下げ部品１１を介してＬＥＤ光源部品取付けレール１３から吊下げ用リング１２により吊り下げられる。また、この仮設照明システム１の照明は１００ＶのＡＣ電源により点灯し、非常用として直流２４Ｖのバックアップ電源２１を備える。
【００２５】
図１は、ＬＥＤ光源部品２のピッチ（Ｐ）が略２．５ｍの場合の構成を示す。このピッチ（Ｐ）で、例えば１６個のＬＥＤ光源部品２を連結すると、全長が略４０ｍの仮設照明システム１となる。この仮設照明システム１を複数設置することで、トンネル２０内部全体の仮設照明システム１が構成される。また、トンネル２０内のＬＥＤ光源部品２の高さ（Ｈ）は、地表面１８から略３.５ｍが一般的である。また、図１に示した実施例は、ＬＥＤ光源部品２を略水平の方向に配置した場合であるが、他の実施例として、本発明のＬＥＤ光源部品２を略鉛直の方向に配置する場合も可能である。この場合は、ＬＥＤ光源５の発光面の角度の調整が必要になる。
【００２６】
（仮設照明システムの構成要素の実施例）
図２に、仮設照明システム１を構成するＬＥＤ光源部品２についての１つの実施例を示す。また、図３に、図２のＬＥＤ光源部品２の裏面を示す。さらに、図４に、仮設照明システム１を構成する配線部品３についての１つの実施例を示す。ＬＥＤ光源部品２及び配線部品３は、コネクターにより結線される。すなわち、コネクター４は、ＬＥＤ光源部品２側のコネクター４ａと配線部品３側のコネクター４ｂとがソケットにより結合する。
【００２７】
ＬＥＤ光源部品２は光源支持板６を有し、この光源支持板６の発光面に複数のＬＥＤ素子であるＬＥＤ光源５が設けられる。例えば、図２の実施例では、光源支持板６は幅略１５ｍｍ、長さ略６０ｍｍ、厚さ略１ｍｍであり、この光源支持板６の表面に６０個のＬＥＤ光源５が埋め込まれる。また、この光源支持板６は、ＬＥＤ光源５から発生する熱を放熱するアルミ製の放熱板としても機能する。また、この光源支持板６には、透明なシリコン樹脂がコーティングされ防水構造（ＩＰ６５規格）になっている。また、図３に示すように、樹脂製チューブ８ａが光源支持板６の裏側に配置されて電線配線７を保護する。さらに、透明な熱収縮樹脂９ａが光源支持板６と樹脂製チューブ８ａとを一体的に覆って固定する。また、図３に示すように、透明な熱収縮樹脂９ｂが樹脂製チューブ８ａの両端及び電線配線７の一部を固定する。これらの熱収縮樹脂９ａ，９ｂは、光源支持板６、樹脂製チューブ８ａ、及び電線配線７の一部を機械的衝撃から保護する機能を有する。
【００２８】
配線部品３は、隣接するＬＥＤ光源部品２相互を電気的に結線する。また、配線部品３は、電線配線７が可撓性を有する樹脂製チューブ８ｂにより覆われる。ＬＥＤ光源部品２と配線部品３とはソケット式のコネクター４ａ，４ｂにより容易に接続される。このように、複数のＬＥＤ光源部品２と配線部品３とは分離されて工事現場に搬入され、工事現場においてコネクター４ａ，４ｂにより結線され、ＬＥＤ光源部品２を所定のピッチにより配置させた仮設照明システム１が形成される。例えば、図１の実施形態では、光源支持板６の長さが略６００ｍｍであり、配線部品３の長さが略１．９ｍであり、ＬＥＤ光源部品２のピッチ（Ｐ）は略２．５ｍとなる。
【００２９】
ＬＥＤ光源部品２と配線部品３とが結線されたシステムの全長は、一端のＬＥＤ光源５と他端のＬＥＤ光源５との輝度差が所定の割合以下になるように調整される。例えば、この輝度差を２０％以下にするため、個々の配線部品３は、その線抵抗が０．０２オーム／メートル以下となるように長さ調整される。このように、配線部分の線抵抗により配線部品３の長さ調整を行い、仮設照明システム１の末端での照明効果が低下するのを制御することができる。
【００３０】
図５に、ＬＥＤ光源部品２をＬＥＤ光源部品取付けレール１３から吊り下げる構成についての１つの実施例を示す。また、図６に、図５の実施例のＢ−Ｂ断面図を示す。図１に示すように、ＬＥＤ光源部品２は、吊下げ部品１１に設けられた吊下げ用リング１２によりＬＥＤ光源部品取付けレール１３から吊り下げられる。図５に示すように、ＬＥＤ光源部品２は、例えば、バンドなど結束部品１０により固定される。この結束部品１０は、ＬＥＤ光源部品２の両端部、中央部、及び吊下げ部品１１用の５箇所に設けられる。吊下げ部品１１用の結束部品１０は吊下げ部品１１に設けられた結束バンド孔１９ｂに通される。そして、吊下げ部品１１に設けられた吊下げ用リング孔１９ａに吊下げ用リング１２が通される。このようにして、ＬＥＤ光源部品２は、吊下げ用リング１２により壁面１４又は天井面１５に設けられた取付けレール１３上を移動自在となる。
【００３１】
図６に示すように、光源支持板６及び樹脂製チューブ８ａは、ＬＥＤ光源５が所定の方向に照射するように熱収縮樹脂９ａ及び結束部品１０によりＬＥＤ光源５の発光面を所定の角度に固定する。すなわち、ＬＥＤ光源５の発光面が吊下げ部品１１と、例えば、略４５度となるように設計される。そのために樹脂製チューブ８ａの直径が選択され、例えば、樹脂製チューブ８ａの直径は、光源支持板６の幅に対して０．６〜０．７倍にすると略４５度の角度が得られることが経験的に知られている。これにより、照明の方向性を有するというＬＥＤ光源５の特性を利用し、工事に適した照明の方向にＬＥＤ光源５を固定することができる。
【００３２】
（配線部品の長さ調整、撓み調整）
図７に、配線部品３の長さ調整及び撓み量調整について示す。図７（ａ）は、比較的長い配線部品３の場合を示し、配線部品３ａは直線的に張った場合であり、配線部品３ｂは撓ませた場合である。図７（ｂ）は、比較的短い配線部品３の場合を示し、配線部品３ｃは直線的に張った場合であり、配線部品３ｄは撓ませた場合である。ＬＥＤ光源部品２の取付け位置は、配線部品３ａ，３ｃの長さを調整することで自在に設定される。例えば、配線部品３ａ，３ｃの長さを１９００ｍｍ、４４００ｍｍ、或いは９４００ｍｍと変化させることで、ＬＥＤ光源部品２のピッチ（Ｐ）を略２．５ｍ、略５．０ｍ、略１０．０ｍに容易に変化させることができる。また、ＬＥＤ光源部品２の取付け位置は、隣接するＬＥＤ光源部品２との間の配線部品３ｂ，３ｄの撓み量を調整することで自在に設定される。
【符号の説明】
【００３３】
１  仮設照明システム、２  ＬＥＤ光源部品、３，３ａ，３ｂ，３ｃ，３ｄ  配線部品、４  コネクター，４ａ  （ＬＥＤ光源部品側）コネクター，４ｂ  （配線部品側）コネクター、５  ＬＥＤ光源、６  光源支持板（放熱板）、７  電線配線、８，８ａ，８ｂ  樹脂製チューブ、９ａ  熱収縮樹脂，９ｂ  熱収縮樹脂（両端部）、１０  結束部品、１１  吊下げ部品、１２  吊下げ用リング、１３  ＬＥＤ光源部品取付けレール、１４  壁面、１５  天井面、１６  電線（１００Ｖ）、１７  光源高さ、１８  地表面、１９ａ  吊下げ用リング孔，１９ｂ  結束バンド孔、２０  トンネル、２１  バックアップ電源、２２  安定器、Ｈ  ＬＥＤ光源部品の高さ、Ｐ  ＬＥＤ光源部品のピッチ。
【図１】
2014035967.tif 000003
【図２】
2014035967.tif 000004
【図３】
2014035967.tif 000005
【図４】
2014035967.tif 000006
【図５】
2014035967.tif 000007
【図６】
2014035967.tif 000008
【図７】
2014035967.tif 000009